(57)【要約】      （修正有）【課題】スプールに釣糸を巻上げるハンドルアームにハンドルノブを取り付け、迅速にハンドルノブを見付けられる様にした釣り用リールのハンドルを提供する。【解決手段】ハンドル軸１を介して魚釣用リールのスプールを回転させる機能を有する魚釣用リールのハンドルであって、一端がハンドル軸１に固定されているハンドルアーム２の他端に固定された支軸３の外周にハンドルノブ４を回転可能に支持した魚釣用リールのハンドルにおいて、ハンドルアーム２をハンドル軸１を中心として放射状に３個又は４個設けて、それぞれのハンドルアーム２の他端に固定された３個又は４個の支軸３の外周にハンドルノブ４を回転可能に支持するようにして、魚釣用リールのハンドルを構成する。【選択図】図１
0003154745.tif 000002
【実用新案登録請求の範囲】
【請求項１】
ハンドル軸（１）を介して魚釣用リールのスプールを回転させる機能を有する魚釣用リールのハンドルであって、一端がハンドル軸（１）に固定されているハンドルアーム（２）の他端に固定された支軸（３）の外周にハンドルノブ（４）を回転可能に支持した魚釣用リールのハンドルにおいて、
ハンドルアーム（２）をハンドル軸（１）を中心として放射状に３個又は４個設けて、
それぞれのハンドルアーム（２）の他端に固定された３個又は４個の支軸（３）の外周にハンドルノブ（４）を回転可能に支持することにより、
ハンドルノブ（４）を迅速に手探りで捜し出すことができる機能を奏することを特徴とする
魚釣用リールのハンドル。
【請求項２】
ハンドルアーム（２）にバランサー（２ａ）を設けることにより、
ハンドルの慣性モーメントを大きくして、ハンドルの回転速度を安定せしめる機能を奏することを特徴とする
請求項１に記載した魚釣用リールのハンドル。
【考案の詳細な説明】
【技術分野】
【０００１】
この考案は、スプールに釣糸を巻き上げるハンドルアームにハンドルノブを取り付けた魚釣用リールのハンドルに関する。
【背景技術】
【０００２】
従来、魚釣用リールのハンドルは実開昭５６−０２１９７１号公報、実開昭５８−００９６７８３号公報、実開平０５−０１５７６６号公報、意匠登録１３５７６８７号公報、意匠登録１３５７６８８号公報で知られるように、ハンドルアームに突設した支軸外周にハンドルノブの中空軸部を回転自在に抜止め支持した構成としていた。
前記公報に開示されている構成では、いずれも支軸に対して回動自在に設けられたハンドルノブは一つであり、ハンドルノブを手探りで捜すような場合には、ハンドルノブを見付けにくいという欠点があった。
意匠登録１３５７６８９号公報に開示されている構成では、支軸に対して回動自在に設けられたハンドルノブは二つであるが、二つであっても、ハンドルノブを手探りで捜すような場合には、ハンドルノブを見付けにくいという欠点があった。
【先行技術文献】
【特許文献】
【０００３】
【特許文献１】実開昭５６−０２１９７１号公報
【特許文献２】実開昭５８−００９６７８３号公報
【特許文献３】実開平０５−０１５７６６号公報
【特許文献４】意匠登録１３５７６８７号公報
【特許文献５】意匠登録１３５７６８８号公報
【特許文献６】意匠登録１３５７６８９号公報
【考案の概要】
【考案が解決しようとする課題】
【０００４】
本願考案が解決しようとする問題点は、ハンドルノブを手探りで捜すような場合には、迅速にハンドルノブを見付けることができる魚釣用リールのハンドルを提供することにある。
【課題を解決するための手段】
【０００５】
本願考案は、以下の「請求項１」及び「請求項２」に記載した事項により特定される。
［請求項１］
ハンドル軸（１）を介して魚釣用リールのスプールを回転させる機能を有する魚釣用リールのハンドルであって、一端がハンドル軸（１）に固定されているハンドルアーム（２）の他端に固定された支軸（３）の外周にハンドルノブ（４）を回転可能に支持した魚釣用リールのハンドルにおいて、
ハンドルアーム（２）をハンドル軸（１）を中心として放射状に３個又は４個設けて、
それぞれのハンドルアーム（２）の他端に固定された３個又は４個の支軸（３）の外周にハンドルノブ（４）を回転可能に支持することにより、
ハンドルノブ（４）を迅速に手探りで捜し出すことができる機能を奏することを特徴とする
魚釣用リールのハンドル。
［請求項２］
ハンドルアーム（２）にバランサー（２ａ）を設けることにより、
ハンドルの慣性モーメントを大きくして、ハンドルの回転速度を安定せしめる機能を奏することを特徴とする
請求項１に記載した魚釣用リールのハンドル。
【考案の効果】
【０００６】
本願考案の効果は、ハンドルノブを手探りで捜すような場合に、迅速にハンドルノブを見付けることができることである。
【図面の簡単な説明】
【０００７】
【図１】図１は、本願考案に係る魚釣用リールのハンドルの基本構造を示した説明図である（実施例１）。
【図２】図２は、本願考案に係る魚釣用リールのハンドルを、魚釣用リールに装着した外観図である。
【図３】図３は、本願考案に係る魚釣用リールのハンドルの正面図である（実施例１）。
【図４】図４は、本願考案に係る魚釣用リールのハンドルの背面図である（実施例１）。
【図５】図５は、本願考案に係る魚釣用リールのハンドルの右側面図である（実施例１）。
【図６】図６は、本願考案に係る魚釣用リールのハンドルの左側面図である（実施例１）。
【図７】図７は、本願考案に係る魚釣用リールのハンドルの平面図である（実施例１）。
【図８】図８は、本願考案に係る魚釣用リールのハンドルの底面図である（実施例１）。
【図９】図９は、本願考案に係る魚釣用リールのハンドルを、魚釣用リールに装着した外観図である。
【図１０】図１０は、本願考案に係る魚釣用リールのハンドルを、魚釣用リールに装着した外観図である。
【図１１】図１１は、本願考案に係る魚釣用リールのハンドルを、魚釣用リールに装着した外観図である。
【図１２】図１２は、本願考案に係る魚釣用リールのハンドルを、魚釣用リールに装着した外観図である。
【考案を実施するための形態】
【０００８】
ハンドル軸（１）、ハンドルアーム（２）、バランサー（２ａ）、支軸（３）、ハンドルキャップ（３ａ）、及び、ハンドルノブ（４）を、図１に示すように組み立てた。
図１の場合は、ハンドルアーム（２）、支軸（３）、ハンドルキャップ（３ａ）、及び、ハンドルノブ（４）が３個の場合であるが、４個でもかまわない。
検討の結果、ハンドル軸（１）、ハンドルアーム（２）、バランサー（２ａ）、支軸（３）、ハンドルキャップ（３ａ）、及び、ハンドルノブ（４）の個数は、３〜４個が最も好ましかった。
１〜２個の場合や、５個以上の場合には、ハンドルノブを手探りで捜すような場合に、迅速にハンドルノブを見付けることができない。
【実施例１】
【０００９】
実施例１として、図１に、本願考案に係る魚釣用リールのハンドルの実施態様を示した。
この実施態様は、上述のとおり、ハンドルアーム（２）、支軸（３）、ハンドルキャップ（３ａ）、及び、ハンドルノブ（４）が３個の場合である。
図１には、支軸（３）を点線で示した。
支軸は（３）は、ハンドルノブ（４）の内部に存在するために、外観からは見ることができないため、便宜的に、透視したように点線で示した。
ハンドルノブ（４）は、略筒状であって、筒状の内部に回転可能に支軸（３）によって支持されている。
ハンドルキャップ（３ａ）は、支軸の末端で、ハンドルノブ（４）の脱落を阻止すると共に、ハンドルノブ（４）の筒状内部に対して、外部から水が浸入することをも阻止する機能を奏する。
ハンドルアーム（２）には、好ましくは、バランサー（２ａ）を設けることができる。
バランサー（２ａ）を設けることにより、ハンドルの慣性モーメントを大きくして、ハンドルの回転速度を安定せしめる機能を奏することができる。
【産業上の利用可能性】
【００１０】
本願考案の産業上利用可能性は、ハンドルノブを手探りで捜すような場合に、迅速にハンドルノブを見付けることができるので、レジャー用や漁業用等の多様な用途の魚釣用リールに応用することができる。
【符号の説明】
【００１１】
１    ハンドル軸
２    ハンドルアーム
２ａ  バランサー
３    支軸
３ａ  ハンドルキャップ
４    ハンドルノブ
【図１】
0003154745.tif 000003
【図２】
0003154745.tif 000004
【図３】
0003154745.tif 000005
【図４】
0003154745.tif 000006
【図５】
0003154745.tif 000007
【図６】
0003154745.tif 000008
【図７】
0003154745.tif 000009
【図８】
0003154745.tif 000010
【図９】
0003154745.tif 000011
【図１０】
0003154745.tif 000012
【図１１】
0003154745.tif 000013
【図１２】
0003154745.tif 000014